(57)【要約】【課題】従来の財布は、携帯している状態のときにスキミング装置を近づけると財布に収納されているカードのデータをスキミング装置が読み取ってしまうという問題点があった。【解決手段】財布は、硬貨を収納する小銭入れ３と、紙幣を収納する札入れ２と、カード収納手段としてのカード入れ４とを備えている。遮蔽シート５は、磁化された金属粒子を含むゴムを基材とする、四角形の薄い板であり、片面に模様を印刷されたポリ塩化ビニールシートが貼付されている。マグネット板５は、札入れ２に挿入され、財布の携帯時、カード入れ４に収納されたカードの両側面に被さり、スキミング装置によるカードデータの読み込みを妨害する。【選択図】図３
2006244432.tif 000002
【特許請求の範囲】
【請求項１】
スキミング装置により読み取ることのできるデータを記憶しているカードを収納するカード収納手段と、携帯した状態のとき前記カード収納手段の両面を挟む状態になるように位置し、紙品を収納する紙品収納手段とを少なくとも備える財布の前記紙品収納手段に収納可能な形状であり、
金属微粒子を含む樹脂板またはゴム板、若しくは金属板または網状金属板の片面または両面にプラスチックシートを貼付されて形成され、または、それら板のいずれかを層状に重ね合わせた合板の片面または両面にプラスチックシートを貼付されて形成されていることを特徴とする遮蔽シート。
【請求項２】
前記金属微粒子、金属板、網状金属板は、磁気を有していることを特徴とする請求項１に記載の遮蔽シート。
【請求項３】
前記プラスチックシートの表面には、写真、文字、絵、図形、模様等の画が印刷されていることを特徴とする請求項１または請求項２に記載の遮蔽シート。
【発明の詳細な説明】
【技術分野】
【０００１】  本発明は、スキミング装置により読み取ることのできるデータを記憶しているカードを収納することができる財布に挿入される遮蔽シートに関するものである。
【背景技術】
【０００２】  従来の財布には、様々な形態のもの、例えば、硬貨を主に収納する小銭入れ、紙幣を主に収納する紙幣入れ、定期券入れ付き財布等があり、これらのほとんどのものには、金融機関等で使われるカードを収納するカード入れを備えている。金融機関等で使われるカードとは、キャッシュカード、クレジットカード等のことであり、これらのカードは樹脂板を基材として形成されている。そして、カードを識別するための固有のデータを記憶させておくためのものが貼付されている。つまり、磁気カードの場合には、その表面にデータを記憶しておくための磁気ストライプが貼付され、ＩＣカードの場合には、ＩＣチップが貼付されている。【０００３】  一例として図１に示す財布は、皮革７，８が縫合されることによって形成され、札入れ２と、小銭入れ３と、３枚のカードを収容するカード入れ４とを備えている。財布を携帯するときには、図３に示すように財布を折りたたんでポケットや手さげ袋等に仕舞われる。【０００４】  カードに記憶されたデータを読み取る装置の１つとしてスキミング装置というものがある。このスキミング装置は、磁気等を感知して電気信号に変換するセンサと、そのセンサからの電気信号を数値に変換して表示するディスプレイと、数値を記憶する記憶装置とを備えている。このスキミング装置をカードに近づけると、スキミング装置はデータを読み取ることができる。読み取られたデータは、別のカードに記憶させることにより同じカードをもう一枚作ることができる。
【発明の開示】
【発明が解決しようとする課題】
【０００５】  以上に述べた従来の財布では、図３に示すように財布を携帯している状態のとき、財布に収納されているカード３４，３５，３６が仮に磁気カードの場合には、カード３４，３５，３６の磁気が財布を透過してしまう。そのため、スキミング装置を財布に近づけると、センサがその磁気等を感知し、スキミング装置は財布に収納されているカード３４，３５，３６のデータを読み取ってしまう。そのため、第三者がスキミング装置を上着等のポケットや手提げ袋等に近づけ、ポケットや手さげ袋等に入っている財布の中のカードのデータを読み取ることができる。そして、第三者は読み取ったデータを基にして偽造カードを作ることができる。
そこで、本発明は、財布にスキミング装置を近づけても、その財布に収納されたカードのデータをスキミング装置が読み取れなくすることを課題とする。
【課題を解決するための手段】
【０００６】請求項１に記載の第１の発明の遮蔽シートは、スキミング装置により読み取ることのできるデータを記憶しているカードを収納するカード収納手段と、携帯した状態のとき前記カード収納手段の両面を挟む状態になるように位置し、紙品を収納する紙品収納手段とを少なくとも備える財布の前記紙品収納手段に収納可能な形状であり、金属微粒子を含む樹脂板またはゴム板、若しくは金属板または網状金属板の片面または両面にプラスチックシートを貼付されて形成され、または、それら板のいずれかを層状に重ね合わせた合板の片面または両面にプラスチックシートを貼付されて形成されている。ここで、紙品とは、紙幣、レシート，名刺、定期券、切符等、一般に財布に収納される、紙で作られたものを示す。紙品収納手段とは、紙品を収納することができる入れ物、つまり、札入れ、定期券入れ等のことである。【０００７】  したがって、請求項１に記載の遮蔽シートによれば、遮蔽シートが紙品収納手段に挿入される。そして、カードをカード収納手段に収納し財布を携帯する。すると、遮蔽シートがカード収納手段の両面を挟むような状態になる。このとき、スキミング装置が財布に近づいても、遮蔽シートがスキミング装置とカード収納手段との間に位置する。そのため、遮蔽シートがカードとスキミング装置とを遮り、スキミング装置によるカードのデータの読み取りを妨害する。【０００８】  請求項２に記載の第２の発明の遮蔽シートは、第１の発明に加え、前記金属微粒子、金属板、網状金属板に磁気を有している。【０００９】  したがって、請求項２に記載の遮蔽シートによれば、第１の発明の作用に加え、さらに、遮蔽シートの金属微粒子または金属板若しくは網状金属板の磁気が財布の外へ透過する。スキミング装置のセンサがその磁気の影響を受け、スキミング装置によるカードのデータの読み取りを妨害する。【００１０】  請求項３に記載の第３の発明の遮蔽シートは、第１または第２の発明に加え、前記プラスチックシートの表面に、写真、文字、絵、図形、模様等の画が印刷されている。【００１１】  したがって、請求項３に記載の遮蔽シートによれば、第１の発明または第２の発明の作用に加え、紙品の挿脱時、紙品収納手段を開くと、遮蔽シートに印刷された画が見える。
【発明の効果】
【００１２】  第１及び第２の発明によると、スキミング装置を財布に近づけても、財布に収納されたカードのデータをスキミング装置が読み取るのを防ぐ効果を発揮する。そのため、第三者は、スキミング装置を上着等のポケットや手提げ袋等に近づけ、ポケットや手さげ袋等に入っている財布の中のカードのデータを読み取ることができなくなる。そして、第三者は読み取ったデータを基にして偽造カードを作ることができない。【００１３】  第３の発明によると、紙品の挿脱時、紙品収納手段を開くと、遮蔽シートに印刷された画がよく見える。そのため、遮蔽シートが、紙品収納手段に入れられた紙幣等の間に挟まれることによって、紙幣の種類や枚数を仕切る仕切り板としての効果を有する。また、遮蔽シートの印象が好くなり、さらに見た目も好くなる。
【発明を実施するための最良の形態】
【００１４】  以下、本発明を具体化した一実施形態を図１乃至図４に従って説明する。図１は財布を示す斜視図、図２は本発明の一実施形態である遮蔽シートの斜視図、図３は財布を携帯したときの財布の形態を示す斜視図、図４は図３のように財布を携帯したときの遮蔽シートとカードとの位置関係を説明する斜視図である。【００１５】  図１に示す財布は、紙品収納手段としての、紙幣を収納する札入れ２と、硬貨を収納する小銭入れ３と、カード収納手段としてのカード入れ４とを備えている。札入れ２は、２対の長方形の皮革７，８が重ねられ、その左端９、右端１０，下端１１が縫合されて、その２対の皮革７，８の間に紙幣を挿入可能に形成されている。札入れ２の縦と横の長さは、拡げた紙幣を収容できる十分な長さを有している。【００１６】  小銭入れ３は、３枚の皮革１２，１３，１４が袋状に縫合されれて形成され、その皮革うちの１枚１４が小銭入れ３の蓋１５を兼ねている。また、小銭入れ３には、蓋１５を固定するための掛止具１６が取り付けられている。札入れ２の右側前部７と、小銭入れ３とが、上端２６、下端１１、右端１０を縫合されて取り付けられ、レシートや名刺等を収納する収納口２８が形成されている。【００１７】  カード入れ４は、大きさの異なった４枚の皮革１７，１８，１９，２０が階段状に重ねられ、その左端９、右端２２、下端１１が縫合されることによって、３つのカード差し入れ口２３，２４，２５が形成されている。カード入れ４の縦と横の長さは、小銭入れ３の縦と横の長さと同じ長さである。札入れ２の左側前部７とカード入れ４とは、上端３０、下端１１、左端９を縫合されて取り付けられ、レシートや名刺等を収納する収納口３１が形成されている。【００１８】  図２に示すように、遮蔽シート５は、磁化された金属微粒子を含むゴムを基材とする、四角形の薄い板であり、その片面に画３２を印刷されたポリ塩化ビニールシート６が貼付されている。遮蔽シート５の４つの角は丸められて形成されている。遮蔽シート５に貼付されるシートはポリ塩化ビニールシートに限らずどのような材質のものでもよく、例えば、ビニールシートやポリエチレンシート等でもよい。【００１９】  次に、上記のように構成された本実施形態の作用及び効果について説明する。
通常時、財布の札入れ２には、遮蔽シート５が挿入されている。このとき、遮蔽シート５のポリ塩化ビニールシート６が貼付されている面は、カード入れ４の方を向いている。このように遮蔽シートを挿入するのは遮蔽シート５の磁気がカード入れ４に収納されたカードに影響を与えないようにするためである。【００２０】  一例として、図３に示すように３枚のカード３４，３５，３６をカード入れ口２３，２４，２５に１枚ずつ挿入された状態について説明する。財布を札入れ２の中央で折りたたみ、携帯する状態にする。すると、ゴム板を基材とする遮蔽シート５も財布の変形に同調して変形する。そして、遮蔽シート５とカード３４，３５，３６との位置関係は図４に示すような状態になり、遮蔽シート５がカード入れ４に挿入されたカード３４，３５，３６を挟むような状態になる。このとき、スキミング装置が財布に近づくと、遮蔽シート５がスキミング装置とカードとの間に位置してカード３４，３５，３６に被さってセンサを遮る。そのため、スキミング装置のセンサはカード３４，３５，３６のデータの感知が困難となる。さらに遮蔽シート５の磁気が財布の外へ透過する。スキミング装置のセンサがその磁気の影響を受け、センサの機能を低下させる。その結果、スキミング装置はカード３４，３５，３６のデータの読み込みを妨害される。【００２１】  したがって、本実施形態の財布を利用すれば、スキミング装置を財布に近づけても、カード入れ４に収納されたカード３４，３５，３６のデータをスキミング装置が読み取るのを防ぐ効果を発揮する。そのため、第三者は、スキミング装置を上着等のポケットや手提げ袋等に近づけ、ポケットや手さげ袋等に入っている財布の中のカードのデータを読み取ることができなくなる。そして、第三者は読み取ったデータを基にして偽造カードを作ることができない。また、財布の変形と同様にして遮蔽シート５も変形するため、従来の財布と使用感が変わらない。【００２２】  遮蔽シート５に画３２が印刷されているので、遮蔽シート５を札入れ２に入れられた紙幣等の間に挟むことによって、紙幣の種類や枚数を仕切る仕切り板としての機能を発揮する。また、遮蔽シート５が財布のアクセサリのような使用感を得られる。【００２３】  本発明は、上述した財布の形状または材質に限られず、遮蔽シートの大きさや取り付け位置を変えることにより、どのような財布にも実現させることができる。例えば、小銭入れの内部や札入れの内部にカード入れが備わったものであってもよい。この場合にも、財布の携帯時に、札入れに収納されている遮蔽シート５が小銭入れや札入れの内部のカードの両側面を間に挟むように位置し、スキミング装置によるカードデータの読み取りを防止する。また、遮蔽シートの形状は、四角形に限らず、楕円形、ひし形等どのような形状であってもよい。また、遮蔽シートには穴があいていてもよい。カードは一部のデータだけでは複製できないからである。【００２４】  遮蔽シートの材質はゴム板に限らず、樹脂板、ステンレス等の薄い金属板または網状金属板等であってもよく、それら板のいずれかを層状に重ね合わせた合板を用いてもよい。また、遮蔽シートの厚さは自由に設定してもよい。また、財布に備えられる��蔽シートは１枚に限らず、複数枚であってもよい。例えば、札入れ２に代えて、収納口２８，３１を遮蔽シートを収納する紙品収納手段として機能させてもよい。この場合には、収納口２８，３１に収納可能な大きさ及び形状の２枚の遮蔽シートを形成することになる。このときの遮蔽シートの形状は四角形に限らず、円やドーナツ型等でもよい。
【図面の簡単な説明】
【００２５】
【図１】  財布の斜視図
【図２】  遮蔽シートの斜視図
【図３】  携帯したときの財布の形態を示す斜視図
【図４】  財布に収納されたカードと遮蔽シートとの関係を示す斜視図
【符号の説明】
【００２６】    ２      札入れ
３      小銭入れ
４      カード入れ
５      遮蔽シート
３４    カード
【図１】
2006244432.tif 000003
【図２】
2006244432.tif 000004
【図３】
2006244432.tif 000005
【図４】
2006244432.tif 000006